(57)【要約】【課題】  仕掛けの巻き込み過ぎがあっても、穂先竿の破断を回避できる釣糸ガイド構造を提供する点にある。【解決手段】  トップガイド３を、穂先竿１の竿先端に外嵌装着される基端筒状ボス部３Ａとその基端筒状ボス部３Ａの竿先端から立設される釣糸ガイド部３Ｂとで構成する。基端筒状ボス部３Ａにおける釣糸ガイド部３Ｂの存在側に位置する周面に、基端筒状ボス部３Ａを穂先竿１より離脱させるに必要な溝幅に拡大する割り溝３ｂを形成してある。【選択図】        図１
2006166842.tif 000002
【特許請求の範囲】
【請求項１】
トップガイドを、穂先竿の竿先端に外嵌装着される基端筒状ボス部とその基端筒状ボス部から立設される釣糸ガイド部とで構成するとともに、前記基端筒状ボス部における前記釣糸ガイド部の存在側に位置する周面に、前記基端筒状ボス部を前記穂先竿より離脱させるに必要な溝幅に拡大する割り溝を形成してある釣糸ガイド構造。
【請求項２】
前記基端筒状ボス部の軸線方向の一端から前記釣糸ガイド部を立設するとともに、前記基端筒状ボス部における前記釣糸ガイド部の存在側に位置する周面で、かつ、前記釣糸ガイド部を立設した前記一端とは反対側の他端から前記一端側に向けて前記割り溝を形成してある請求項１記載の釣糸ガイド構造。
【請求項３】
中間ガイドを、穂先竿の竿軸線方向に外嵌装着される基端筒状ボス部とその基端筒状ボス部から立設される釣糸ガイド部とを備えて構成するとともに、前記基端筒状ボス部における前記釣糸ガイド部の存在側する側とは反対側に位置する周面に、前記基端筒状ボス部を前記穂先竿より離脱させるに必要な溝幅に拡大する割り溝を、前記基端筒状ボス部の軸線方向全長に亘って形成してある釣糸ガイド構造。
【発明の詳細な説明】
【技術分野】
【０００１】
本発明は、穂先竿の竿先端にトップガイドを設け、穂先竿の中間位置に移動ガイドを設けてある釣糸ガイド構造に関する。
【背景技術】
【０００２】
穂先竿の竿先端に取り付けられているトップガイドは、その竿先端に対して固定されていた（特許文献１参照）。
【０００３】
【特許文献１】特許第３０７７８３０号（段落番号〔００１４〕〔００１５〕及び、図１，４）
【発明の開示】
【発明が解決しようとする課題】
【０００４】
前記したように、トップガイドが穂先竿の竿先端に固定されたものでは、次ぎのような不都合があった。つまり、仕掛けをトップガイドに接触する位置まで巻き上げた場合には、トップガイドと第１中間移動ガイドとの間隔が縮まるように、穂先竿が上向きに凸出する湾曲状態となり、さらに、釣糸を巻き上げる操作を継続すると、穂先竿が中間位置で破断に至ることもある。
【０００５】
本発明の目的は、前記したような不具合を修正して、穂先竿の破断を回避できる釣糸ガイド構造を提供する点にある。
【課題を解決するための手段】
【０００６】
〔構成〕
請求項１に係る発明の特徴構成は、トップガイドを、穂先竿の竿先端に外嵌装着される基端筒状ボス部とその基端筒状ボス部から立設される釣糸ガイド部とで構成するとともに、前記基端筒状ボス部における前記釣糸ガイド部の存在側に位置する周面に、前記基端筒状ボス部を前記穂先竿より離脱させるに必要な溝幅に拡大する割り溝を形成してある点にあり、その作用効果は次の通りである。
【０００７】
〔作用〕
つまり、仕掛けの巻上げ過ぎにより、トップガイドと中間ガイドとが近接するように、穂先竿が上向き凸状態となるように湾曲を生じた場合であっても、さらに、湾曲状態を高めるような巻上げ力が作用した場合には、トップガイドの割り溝の溝幅が拡大して基端筒状ボス部が穂先竿より離脱する状態となり、トップガイドが穂先竿から脱落する。
【０００８】
〔効果〕
これによって、穂先竿を湾曲状態に曲げ作用する釣糸引張力が解放されて、穂先竿の破断等が回避される。
【０００９】
請求項２に係る発明の特徴構成は、請求項１に係る発明において、前記基端筒状ボス部の軸線方向の一端から前記釣糸ガイド部を立設するとともに、前記基端筒状ボス部における前記釣糸ガイド部の存在側に位置する周面で、かつ、前記釣糸ガイド部を立設した前記一端とは反対側の他端から前記一端側に向けて前記割り溝を形成してある点にあり、その作用効果は次の通りである。
【００１０】
〔作用効果〕
仕掛けをトップガイドに接触する位置まで巻き上げた場合には、トップガイドと中間ガイドとの間隔が縮まるように、穂先竿が上向きに凸出する湾曲状態となる。
そうすると、トップガイドは下向きでかつ後ろ向きの引張力を受けるために、釣糸ガイド部がその下向き斜め後方側に引張られる。そうすると、トップガイドは、釣糸ガイド部を立設している基端筒状ボス部の一端を支点としてその一端より後方側に位置する他端を持ち上げ、穂先竿よりその他端を離間させようとする。
その場合に、基端筒状ボス部の他端側で釣糸ガイド部存在側とは反対側の周面には割り溝が形成されているので、その割り溝の溝幅を押し広げながら前記他端は穂先竿の周面から離間するように持ち上がる。そして、割り溝のある程度の部分が持ち上がった状態で、基端筒状ボス部が下向き状態となり穂先竿の竿先端より脱出する。
【００１１】
請求項３に係る発明の特徴構成は、中間ガイドを、穂先竿の竿軸線方向に外嵌装着される基端筒状ボス部とその基端筒状ボス部から立設される釣糸ガイド部とを備えて構成するとともに、前記基端筒状ボス部における前記釣糸ガイド部の存在側する側とは反対側に位置する周面に、前記基端筒状ボス部を前記穂先竿より離脱させるに必要な溝幅に拡大する割り溝を、基端筒状ボス部の軸線方向全長に亘って形成してある点にあり、その作用効果は次の通りである。
【００１２】
〔作用効果〕
仕掛けの巻上げ過ぎにより、トップガイドと中間ガイドとが近接するように、穂先竿が上向き凸状態となるように湾曲を生じた場合であっても、さらに、湾曲状態を高めるような巻上げ力が作用した場合には、中間ガイドの割り溝の溝幅が拡大して基端筒状ボス部が穂先竿より離脱する状態となり、中間ガイドが穂先竿から脱落する。
これによって、穂先竿を湾曲状態に曲げ作用する釣糸引張力が解放されて、穂先竿の破断等が回避される
【発明を実施するための最良の形態】
【００１３】
〔第１実施形態〕
図１に示すように、穂先竿１、二番竿２等によって、振出式の釣り竿Ａを構成してある。穂先竿１には、トップガイド３と二つの中間移動ガイド４、４を設けてある。二番竿２に、釣り糸ガイド５がその竿体の外周面に取り付けてある。
【００１４】
トップガイド３について説明する。図１に示すように、トップガイド３は、穂先竿１の竿先端に外嵌して装着される基端筒状ボス部３Ａとその基端筒状ボス部３Ａの先端から立設される釣糸ガイド部３Ｂとを備えて構成されている。基端筒状ボス部３Ａと釣糸ガイド部３Ｂとは、一体に樹脂で成形されており、釣糸ガイド部３Ｂには釣糸ａをガイドするリング３Ｃを装着して構成されている。リング３Ｃは、セラミック製の素材を用いて形成されており、釣糸ガイド部３Ｂを製造する際に同時に組み込んで一体に嵌め込み装着されている。
【００１５】
図２に示すように、基端筒状ボス部３Ａは、釣糸ガイド部３Ｂの基端部分をその基端筒状ボス部３Ａの軸線方向の一端としてその一端から他端に向けて後向きに延出されており、その他端としての後端に後ろ向き開口３ａを形成してある。このような構造を有する基端筒状ボス部３Ａを穂先竿１に取り付けるには、後ろ向き開口３ａから穂先竿１の竿先に外嵌装着して、取り付ける。
【００１６】
図２（ロ）に示すように、基端筒状ボス部３Ａには、後端開口縁から前方に向けて、竿の軸線に沿った状態の割り溝３ｂが形成されており、後端開口縁に向かう程溝幅が広くなっている。釣糸ガイド部３Ｂが釣糸ａによって下向きに向かう引張力を受けている状態では、基端筒状ボス部３Ａは穂先竿１への外嵌状態を維持する。しかし、図１（イ）（ロ）に示すように、仕掛け６をトップガイド３に接触する位置まで巻き挙げた場合には、トップガイド３と第１中間移動ガイド４との間隔が縮まるように、穂先竿１が上向きに凸出する湾曲状態となる。
【００１７】
そうすると、トップガイド３は下向きでかつ後ろ向きの引張力を受けるために、釣糸ガイド部３Ｂがその下向き斜め後方側に引張られる。そうすると、トップガイド３は、釣糸ガイド部３Ｂを立設している基端筒状ボス部３Ａの一端を支点としてその一端より後方側に位置する他端を穂先竿１より持ち上げようとする。
【００１８】
その場合に、基端筒状ボス部３Ａの他端側で下向き周面には割り溝３ｂが形成されているので、その割り溝３ｂの溝幅を押し広げながら前記他端は穂先竿１の周面から離間するように持ち上がる。そして、割り溝３ｂのある程度の部分が持ち上がった状態で、図１（ハ）に示すように、基端筒状ボス部３Ａが下向き状態となり穂先竿１の竿先端より脱出して、垂れ下がり状態となる。
【００１９】
以上のような状態は、図１に示すように、仕掛け６を巻き込み過ぎた場合に起こるものであり、トップガイド３が穂先竿１より外れることによって、トップガイド３と第１中間移動ガイド４との間の穂先竿１に過剰なテンション力が作用することを阻止して、穂先竿１の破損を阻止することができるのである。
【００２０】
このように、トップガイド３は穂先竿１に作用する異常なテンション力が作用することを阻止するために、穂先竿１より外れるものであるので、穂先竿１に装着する場合には接着剤は使用せず、嵌合公差の調整によって嵌め込み固定されることになる。そして、図１（ロ）（ハ）に示すように、穂先竿１の竿先に外嵌装着された状態で、主として周方向への回り止めを行う為に、ドットスクリーン印刷等によって樹脂材を施して回り止め部１Ａを形成する。
【００２１】
〔第２実施形態〕
ここでは、トップガイド３に施した割り溝３ｂを第１中間移動ガイド４に施す態様について説明する。図４に示すように、第１中間移動ガイド４は、穂先竿１の中間位置に外嵌して装着される基端筒状ボス部４Ａと釣糸ガイド部４Ｂとを備えて構成されている。基端筒状ボス部４Ａと釣糸ガイド部４Ｂとは、一体に樹脂で成形されており、釣糸ガイド部４Ｂには釣糸ａをガイドするリング４Ｃを装着して構成されている。リング４Ｃは、セラミック製の素材を用いて形成されており、釣糸ガイド部４Ｂを製造する際に同時に組み込んで一体に嵌め込み装着されている。
【００２２】
図４に示すように、基端筒状ボス部４Ａは、釣糸ガイド部４Ｂの基端部分に前後向き姿勢で一体に形成され、その前後端に開口４ａ、４ａを形成してある。基端筒状ボス部４Ａには、後端開口縁から前端開口縁に亘って、竿の軸線に沿った状態の割り溝４ｄが形成されている。割り溝４ｄは、釣糸ガイド部４Ｂが釣糸ａによって竿の周方向に向かう引張力を受けると、基端筒状ボス部４Ａも同様の方向に引張られるので、図３（イ）に示すように、穂先竿１が曲がりを生ずるとともに溝幅を広げることになる。割り溝４ｄが十分広げられたところで、図３（ロ）に示すように、第１中間移動ガイド４は穂先竿１から外れる。
【００２３】
以上のような状態は、図３に示すように、仕掛け６を巻き込み過ぎた場合に起こるものであり、第１中間移動ガイド４が穂先竿１より外れることによって、トップガイド３と第１中間移動ガイド４との間の穂先竿１に過剰なテンション力が作用することを阻止して、穂先竿１の破損を阻止することができるのである。
【００２４】
このように、第１中間移動ガイド４は穂先竿１に作用する異常なテンション力が作用することを阻止するために、穂先竿１より外れるものであるので、穂先竿１に装着する場合には接着剤は使用せず、嵌合公差の調整によって嵌め込み固定されることになる。そして、穂先竿１に外嵌装着された状態で、主として周方向への第１中間移動ガイド４の回り止めを行う為に、ドットスクリーン印刷等によって樹脂材を施して回り止め部１Ａを形成する。
【００２５】
〔別実施形態〕
（１）  トップガイド３、及び、第１中間移動ガイド４の基端筒状ボス部３Ａ、４Ａの構成としては、アルミ等の軽量金属で外形を形作り、その外形内側に樹脂やゴム等の軟質部材を貼り付けて構成してもよい。この構成においても、金属外形部分と内側の軟質部材との重ね合わせ部分にも、割り溝３ｂ、４ｄが形成されており、その重ね合わせ部分の割り溝３ｂ、４ｄの溝幅が広がることによって、トップガイド３、及び、第１中間移動ガイド４は穂先竿１より脱落する。
（２）  第１中間移動ガイド４の構成としては、次ぎのようなものでもよい。図５及び図６に示すように、基端筒状ボス部４Ａには、軸線方向に沿った割り溝４ｄが形成されており、軸線方向における前後端に開口４ａ、４ａを形成してある。開口４ａ、４ａには、開口縁の全周に亘って、かつ、軸線方向の中間側に入り込むテーパ面４ｂ、４ｂが形成してあり、テーパ面４ｂの奥側に竿体の外径に略等しい内径部分が形成されており、第１中間移動ガイド４が前後端の一方側から外れ易くなっているものでもよい。
（３）  第１中間移動ガイド４の構成としては、次ぎのようなものでもよい。図７に示すように、基端筒状ボス部４Ａには、後端開口縁から前端開口縁に亘って、竿の軸線に沿った状態の割り溝４ｄが形成されており、後端開口縁に向かう程溝幅が広くなっている。つまり、割り溝４ｄの前端開口縁での溝幅ｈを後端開口縁での溝幅Ｈより大きくして、第１中間移動ガイド４が後端側から外れ易くなっているものでもよい。
（４）  トップガイド３、及び、第１中間移動ガイド４の回り止めを行う為に、ドットスクリーン印刷等によって樹脂材を施して回り止め部１Ａを形成することにしてあるが、プリプレグのクロスシート等を穂先竿１の所定位置に巻付けて、トップガイド３や第１中間移動ガイド４が容易には移動しない構成を採ってもよい。
【図面の簡単な説明】
【００２６】
【図１】穂先竿の状態を示す側面図であり、（イ）は仕掛けをトップガイドのしたまで適正に巻き上げた状態、（ロ）は、（イ）の状態から仕掛けをさらに巻き上げて穂先竿に曲がりを生じた状態、（ハ）は、（ロ）の状態からトップガイドが外れた状態
【図２】トップガイドを示し、（イ）は側面図、（ロ）は（イ）の状態のトップガイドをしたから見た下面図
【図３】穂先竿の状態を示す側面図であり、（イ）は仕掛けをトップガイドのしたまで巻き上げ過ぎた状態、（ロ）は、（イ）の状態から中間ガイドが外れた状態
【図４】中間ガイドを示す斜視図
【図５】（イ）中間ガイドの別実施形態を示す斜視図                                        （ロ）中間ガイドの基端筒状ボス部を示す横断平面図
【図６】中間ガイドの別実施形態を示す斜視図
【符号の説明】
【００２７】
１            穂先竿
３            トップガイド
３Ａ，４Ａ    基端筒状ボス部
３Ｂ，４Ｂ    釣糸ガイド部
３ｂ、４ｄ    割り溝
【図１】
2006166842.tif 000003
【図２】
2006166842.tif 000004
【図３】
2006166842.tif 000005
【図４】
2006166842.tif 000006
【図５】
2006166842.tif 000007
【図６】
2006166842.tif 000008